(57)【要約】【課題】組立が簡単であって、プラグ接続部の数が異なる数種類の製品を低コストで製造することができる配線器具を提供する。【解決手段】配線器具1は、中空棒状ケーシング2内に、複数のプラグ接続部30を有するプラグ接続ユニット3と、電線接続端子41A,41Bを有する端子台4とを収容してなる。ケーシング2は、横断面略Ｕ形のアルミニウム押出形材製ケーシング本体21と、ケーシング本体21の上方開口を塞ぐアルミニウム押出形材製上部蓋体22と、ケーシング本体21の両端部に嵌め込まれる第１および第２端部閉鎖体23,24とで構成する。ケーシング本体21の両側壁211上端部に係止部211aを形成し、上部蓋体22の両縁部に、係止部211aに係り止められる側方凸部222aを先端部に有する垂下壁222を形成する。【選択図】  図１
2004199983.tif 000002
【特許請求の範囲】
【請求項１】
中空棒状ケーシング内に、ケーシングの長さ方向に沿って並ぶ複数のプラグ接続部を有するプラグ接続ユニットと、プラグ接続ユニットの一端側に配されかつプラグ接続ユニットに電気的に接続される電線接続端子を有する端子台とが収容されており、ケーシングは、アルミニウム押出形材よりなる横断面略Ｕ形のケーシング本体と、アルミニウム押出形材よりなりかつケーシング本体の上方開口を塞ぐ上部蓋体と、外部電線挿通孔を有しかつケーシング本体の一端部に嵌め込まれる第１端部閉鎖体と、ケーシング本体の他端部に嵌め込まれる第２端部閉鎖体とで構成され、上部蓋体における各プラグ接続部に対応する箇所には、プラグ接続部のプラグ差込口を露出させうる貫通孔があけられており、ケーシング本体の両側壁上端部に係止部が形成されているとともに、上部蓋体の両縁部に、係止部に係り止められる側方凸部を先端部に有する垂下壁が形成されている、配線器具。
【請求項２】
上部蓋体が、プラグ接続ユニットを覆う第１上部蓋体と、端子台を覆う第２上部蓋体とに分割されている、請求項１記載の配線器具。
【請求項３】
ケーシング本体の底壁および上部蓋体に、配線器具を所定箇所に取り付けるためのネジを挿通させうる取付孔が、少なくとも１つずつ上下対向状にあけられ、ケーシング本体の底壁および上部蓋体における対をなす取付孔の周縁部どうしの間に、絶縁性筒状体が介在されている、請求項１または２記載の配線器具。
【請求項４】
筒状体の上下両端面のうち少なくとも下端面に、取付孔の縁に係り合わせられる少なくとも２つの係合凸部が形成されている、請求項３記載の配線器具。
【請求項５】
プラグ接続ユニットが、ケーシングの長さ方向に沿ってのびるベース部およびベース部に所定間隔おきに形成された複数の刃受部をそれぞれ有しかつ互いに平行に配される電極側および接地側の２つの刃受金具ならびにアース刃受金具と、両刃受金具およびアース刃受金具の刃受部を１組ずつ保持するようにケーシング本体の底壁に配置される複数の刃受ホルダと、プラグ差込口を有し、両刃受金具およびアース刃受金具の刃受部を１組ずつ覆うように刃受ホルダに嵌め合わせられ、かつ上端部が上部蓋体の貫通孔に嵌め込まれる複数の刃受カバーとを備えている、請求項１〜４のいずれか１つに記載の配線器具。
【発明の詳細な説明】
【０００１】
【発明の属する技術分野】
本発明は、配線器具に関し、より詳細には、複数のプラグ接続部を備えてなり、例えば、ラックに搭載された複数の電子機器への配線に使用される配線器具に関する。
【０００２】
なお、この明細書において、「アルミニウム」には、純アルミニウムの他、アルミニウム合金が含まれるものとする。
【０００３】
【従来の技術】
近年、例えばＬＡＮを構成する複数の電子機器を搭載するラックのための配線器具として、数個ないし数十個のプラグ接続部が並列状に設けられ、一般にコンセントバーと称されるものが知られている。
【０００４】
このようなコンセントバーは、通常、合成樹脂成型品よりなるケーシング本体内に、プラグ接続部構成部品等を収容し、ケーシング本体の上方開口を同じく合成樹脂成型品よりなる蓋体で覆い、ケーシング本体と蓋体とを複数のビスによって接合することにより組み立てられる。
【０００５】
【発明が解決しようとする課題】
しかしながら、上述したコンセントバーの場合、ビスによってケーシング本体と蓋体とを接合一体化するのに手間がかかり、組立作業の効率がよくなかった。また、上記コンセントバーの場合、プラグ接続部の数が異なる数種類の製品を作るには、それらに応じた寸法を有するケーシング本体および蓋体を、別個の金型を用いて成型する必要があり、コスト高になるという問題があった。
【０００６】
本発明の目的は、組立が簡単であり、また、プラグ接続部の数が異なる数種類の製品を低コストで製造することができる配線器具を提供することにある。
【０００７】
【課題を解決するための手段および発明の効果】
本発明による配線器具は、中空棒状ケーシング内に、ケーシングの長さ方向に沿って並ぶ複数のプラグ接続部を有するプラグ接続ユニットと、プラグ接続ユニットの一端側に配されかつプラグ接続ユニットに電気的に接続される電線接続端子を有する端子台とが収容されており、ケーシングは、アルミニウム押出形材よりなる横断面略Ｕ形のケーシング本体と、アルミニウム押出形材よりなりかつケーシング本体の上方開口を塞ぐ上部蓋体と、外部電線挿通孔を有しかつケーシング本体の一端部に嵌め込まれる第１端部閉鎖体と、ケーシング本体の他端部に嵌め込まれる第２端部閉鎖体とで構成され、上部蓋体における各プラグ接続部に対応する箇所には、プラグ接続部のプラグ差込口を露出させうる貫通孔があけられており、ケーシング本体の両側壁上端部に係止部が形成されているとともに、上部蓋体の両縁部に、係止部に係り止められる側方凸部を先端部に有する垂下壁が形成されているものである。
【０００８】
上記の配線器具を組み立てる場合、まず、ケーシング本体内にプラグ接続ユニットおよび端子台を収容する。次いで、上部蓋体の両垂下壁をケーシング本体の上方開口に押し込んでいくと、上部蓋体の両垂下壁およびケーシング本体の両側壁が若干弾性変形させられて、上部蓋体の両垂下壁先端部の側方凸部がケーシング本体の両側壁先端部の係止部に係り止められる。これにより、上部蓋体がケーシング本体に取り付けられる。その後、ケーシング本体の両端部に第１端部閉鎖体および第２端部閉鎖体を嵌め込めば、配線器具の組立が完了する。したがって、本発明の配線器具によれば、その組立作業をきわめて簡単に行い得る。
【０００９】
また、上記の配線器具は、ケーシング本体および上部蓋体がいずれもアルミニウム押出形材よりなるので、プラグ接続部の数が異なる数種類の製品をつくる場合には、ケーシング本体および上部蓋体を構成する各１種類のアルミニウム押出形材を所要長さに切断するだけで対応できる。したがって、本発明の配線器具によれば、プラグ接続部の数が異なる数種類の製品を、低コストで容易につくることができる。
【００１０】
本発明による配線器具において、上部蓋体が、プラグ接続ユニットを覆う第１上部蓋体と、端子台を覆う第２上部蓋体とに分割されているのが好ましい。
【００１１】
端子台の電線接続端子に外部電線を接続したり、あるいは外部電線を交換したりする場合、上部蓋体をケーシング本体から一時的に取り外す必要があるが、上部蓋体が単体のものであればその取外し作業が面倒である。そこで、上部蓋体を上記のように２つに分割しておけば、外部電線の接続や交換に際して、端子台を覆う第２上部蓋体のみをケーシング本体から取り外せばよいので、その作業が簡単になる。
【００１２】
本発明による配線器具において、ケーシング本体の底壁および上部蓋体に、配線器具を所定箇所に取り付けるためのネジを挿通させうる取付孔が、少なくとも１つずつ上下対向状にあけられ、ケーシング本体の底壁および上部蓋体における対をなす取付孔の周縁部どうしの間に、絶縁性筒状体が介在されているのが好ましい。
【００１３】
上記構成によれば、取付孔に挿通させたネジによって配線器具をラック等に取り付けることができる。しかも、筒状体によって、ネジがケーシング本体内のプラグ接続ユニットや端子台と接触するのが阻止されるので、漏電等の事故の心配がない。なお、ここにいう「ネジ」には、ビス、ボルト等のネジ類の他、釘類も含まれるものとする。
【００１４】
また、上記の場合において、筒状体の上下両端面のうち少なくとも下端面に、取付孔の縁に係り合わせられる少なくとも２つの係合凸部が形成されているのが好ましい。
【００１５】
上記によれば、組立時の筒状体の位置決めを容易に行うことができる上、組立後の筒状体の位置ズレも防止できる。
【００１６】
本発明による配線器具において、プラグ接続ユニットが、ケーシングの長さ方向に沿ってのびるベース部およびベース部に所定間隔おきに形成された複数の刃受部をそれぞれ有しかつ互いに平行に配される電極側および接地側の２つの刃受金具ならびにアース刃受金具と、両刃受金具およびアース刃受金具の刃受部を１組ずつ保持するようにケーシング本体の底壁に配置される複数の刃受ホルダと、プラグ差込口を有し、両刃受金具およびアース刃受金具の刃受部を１組ずつ覆うように刃受ホルダに嵌め合わせられ、かつ上端部が上部蓋体の貫通孔に嵌め込まれる複数の刃受カバーとを備えている場合がある。
【００１７】
上記の場合、プラグ接続ユニットの部品点数が少なく、その組立を簡単に行い得る。また、上記の場合、各プラグ接続部が、両刃受金具およびアース刃受金具の１組の刃受部と、各１つの刃受ホルダおよび刃受カバーとによって構成されるので、プラグ接続部の数が異なる数種類の製品をつくる場合でも、１個単位で容易に対応することができる。
【００１８】
【発明の実施の形態】
次に、本発明の好ましい実施の形態を、図１〜６を参照して説明する。なお、以下の説明において、左右は図１の左右をいうものとする。
【００１９】
図１〜６において、本発明による配線器具(1)は、中空棒状ケーシング(2)内に、ケーシング(2)の長さ方向に沿って並ぶ６個のプラグ接続部(30)を有するプラグ接続ユニット(3)と、プラグ接続ユニット(3)の右端側に配されかつプラグ接続ユニット(3)に電気的に接続される電線接続端子(41A)(41B)を有する端子台(4)とが収容されている。
【００２０】
ケーシング(2)は、アルミニウム押出形材よりなる横断面略Ｕ形のケーシング本体(21)と、アルミニウム押出形材よりなりかつケーシング本体(21)の上方開口を塞ぐ上部蓋体(22)と、外部電線挿通孔(230)を有しかつケーシング本体(21)の右端部に嵌め込まれる第１端部閉鎖体(23)と、ケーシング本体(21)の左端部に嵌め込まれる第２端部閉鎖体(24)とで構成されている。
【００２１】
上部蓋体(22)における各プラグ接続部(30)に対応する箇所には、プラグ接続部(30)のプラグ差込口(331)を露出させうる貫通孔(221)があけられている。各貫通孔(221)は、方形となされている。
【００２２】
ケーシング本体(21)の両側壁(211)上端部には、係止部(211a)が形成されている。また、上部蓋体(22)の両縁部には、係止部(211a)に係り止められる側方凸部(222a)を先端部に有する垂下壁(222)が形成されている。図３に示すように、係止部(211a)は、ケーシング本体(21)の両側壁(211)上端部に形成された横断面三角形の内方凸部により構成されている。側方凸部(222a)は、垂下壁(222)の先端部に外方突出状に形成されており、その先端が内方凸部（係止部）(211a)の先端に係合しうるような三角形の横断面を有している。
【００２３】
図１、２および６に示すように、上部蓋体(22)は、プラグ接続ユニット(3)を覆う第１上部蓋体(22A)と、端子台(4)を覆う第２上部蓋体(22B)とに分割されている。
【００２４】
ケーシング本体(21)の底壁(213)および上部蓋体(22)に、配線器具(1)を所定箇所に取り付けるためのネジ（図示略）を挿通させうる取付孔(214)(223)が、２つずつ上下対向状にあけられている。取付孔(214)(223)は、第１上部蓋体(22A)における右端側の２つの貫通孔(221)どうしの間の部分、および第１上部蓋体(22A)における左端側の２つの貫通孔(221)どうしの間の部分、ならびにこれらの部分に対応するケーシング本体(21)の底壁(213)部分に設けられている。各取付孔(214)(223)は、ケーシング(2)の長さ方向にのびる長孔よりなる。
【００２５】
ケーシング本体(21)の底壁(213)および上部蓋体(22)における対をなす取付孔(214)(223)の周縁部どうしの間に、絶縁性筒状体(5)が介在されている。この筒状体(5)は、合成樹脂製であって、配線器具取付用ネジがプラグ接続ユニット(3)と接触するのを防止している。筒状体(5)の下端面には、ケーシング本体(21)の底壁(213)の取付孔(214)の縁に係り合わせられる左右２つの係合凸部(51)が形成されている。
【００２６】
第１端部閉鎖体(23)および第２端部閉鎖体(24)は、いずれも合成樹脂製であって、ケーシング本体(21)の各端部開口を覆う方形状の垂直板部(231)(241)と、垂直板部(231)(241)の内面周縁部から内方に突出しかつケーシング本体(21)の各端部内に嵌め込まれる嵌入部(232)(242)とよりなる。第１端部閉鎖体(23)の外部電線挿通孔(230)は、垂直板部(231)の中央部にあけられている。
【００２７】
プラグ接続ユニット(3)は、ケーシング(2)の長さ方向に沿ってのびるベース部(311A)(311B)およびベース部(311A)(311B)に所定間隔おきに形成された６個の刃受部(312A)(312B)をそれぞれ有しかつ互いに平行に配される電極側および接地側の２つの刃受金具(31A)ならびにアース刃受金具(31B)と、両刃受金具(31A)およびアース刃受金具(31B)の刃受部(312A)(312B)を１組ずつ保持するようにケーシング本体(21)の底壁(213)に配置される６個の刃受ホルダ(32)と、プラグ差込口(331)を有し、両刃受金具(31A)およびアース刃受金具(31B)の刃受部(312A)(312B)を１組ずつ覆うように刃受ホルダ(32)に嵌め合わせられ、かつ上端部が第１上部蓋体(22A)の貫通孔(221)に嵌め込まれる６個の刃受カバー(33)とを備えている。
【００２８】
両刃受金具(31A)およびアース刃受金具(31B)は、いずれも真鍮製である。
【００２９】
両刃受金具(31A)のベース部(311A)は、垂直板状のものである。アース刃受金具(31B)のベース部(311B)は、横断面Ｌ形の折曲板状のものである。刃受部(312A)(312B)は、両刃受金具(31A)およびアース刃受金具(31B)を構成する真鍮板材の所定部分を折り曲げることによりベース部(311A)(311B)から立ち上がるようにかつプラグ（図示略）の２本の刃およびアース刃をそれぞれ保持しうる板バネ状に形成されている。
【００３０】
ベース部(311A)(311B)には、貫通孔を有する複数の結線部(3111)が所定パターンで形成されている。具体的にいうと、ベース部(311A)(311B)における各刃受部(312A)(312B)が形成されている部分の左右両側に、結線部(3111)が形成されており、ベース部(311A)(311B)の両端部以外に形成されている結線部(3111)は２つずつ隣接している。隣接する結線部(3111)どうしの間には、上方からスリット(3112)が入れられている。したがって、両刃受金具(31A)およびアース刃受金具(31B)については、多数の刃受部(312A)(312B)が形成された長いものをつくっておき、配線器具(1)に備えるべきプラグ接続部(30)の数に応じて、ベース部(311A)(311B)における隣接する結線部(3111)どうしの間のスリット(3112)部分で切断することにより、容易に製造することができる。
【００３１】
刃受ホルダ(32)は、合成樹脂製であって、平面より見てほぼ方形状のものである。刃受ホルダ(32)の上面には、両刃受金具(31A)およびアース刃受金具(31B)の刃受部(312A)(312B)をそれぞれ収容する収容部(321A)(321B)が形成されている。
【００３２】
刃受カバー(33)も、合成樹脂製であって、方形の横断面を有する被せ蓋状のものである。プラグ差込口(331)は、プラグの２本の刃およびアース刃をそれぞれ挿入し得る３つの垂直貫通孔によって構成されている。刃受カバー(33)の上面周縁部に段差(332)が設けられ、段差(332)よりも内側の上方突出部分(333)が、上部蓋体(22)の貫通孔(221)に嵌め込まれている。以上の構成により、組立後の刃受カバー(33)の位置ズレが防止され、ひいては刃受カバー(33)に嵌め合わせられた刃受ホルダ(32)並びに刃受ホルダ(32)に刃受部(312A)(312B)が保持された両刃受金具(31A)およびアース刃受金具(31B)の位置ズレが防止されるようになっている。
【００３３】
各刃受カバー(33)の左右両側面上端部には、係合凹部(334)が形成されている。そして、各筒状体(5)の左右両側部上端に、これらと隣り合う刃受カバー(33)の係合凹部(334)に係合し得る相対的に長い第１側方凸部(52)と、該刃受カバー(33)の側面に当接し得る相対的に短い第２側方凸部(53)とが形成されている。以上の構成により、組立時の筒状体(5)の上部の位置決めを容易に行い得るとともに、組立後の筒状体(5)の位置ズレが効果的に防止される。。
【００３４】
端子台(4)は、合成樹脂製であって、図１および６に示すように、長方形板状のものである。この端子台(4)は、ビス（図示略）により、ケーシング本体(21)の底壁(213)の右端部に固定されている。図６に示すように、電線接続端子(41A)(41B)は、両刃受金具(31A)およびアース刃受金具(31B)に応じて計３つあり、端子台(4)の上面左側部に形成された端子取付部(40A)(40B)に取り付けられる。両刃受金具(31A)およびアース刃受金具(31B)とこれらに対応する電線接続端子(41A)(41B)とは、電線(6A)(6B)によって電気的に接続されている。また、これらの端子(41A)(41B)は、第１端部閉鎖体(23)の外部電線挿通孔(230)を通じてケーシング(2)内に引き込まれる外部電線（図示略）の一端部と電気的に接続されるようになっている。端子台(4)の上面右側部には、外部電線保持部材(42)が取り付けられる。
【００３５】
上記配線器具(1)の組立は、例えば次のようにして行われる。即ち、まず、ケーシング本体(21)内に、プラグ接続ユニット(3)および端子台(4)を収容する。端子台(4)は、ケーシング本体(21)の底壁(213)にビスで固定しておく。
【００３６】
次いで、上部蓋体(22)の両垂下壁(222)をケーシング本体(21)の上方開口に押し込んでいくと、上部蓋体(22)の両垂下壁(222)およびケーシング本体(21)の両側壁(211)が若干弾性変形させられて、上部蓋体(22)の両垂下壁(222)先端部の側方凸部(222a)がケーシング本体(21)の両側壁(211)先端部の係止部(211a)に係り止められる。これによって、上部蓋体(22)がケーシング本体(21)に取り付けられる。
【００３７】
その後、ケーシング本体(21)の両端部に第１端部閉鎖体(23)および第２端部閉鎖体(24)を嵌め込む。こうして、図２に示すように、配線器具(1)を組み立てることができ、その作業は極めて簡単である。
【００３８】
なお、上記の実施形態では、プラグ接続部が６個である配線器具を例示したが、より多くの数、例えば１０〜３０個程度のプラグ接続部を備えた配線器具も、上記とほぼ同様の構成によって簡単にかつ低コストでつくることができる。
【図面の簡単な説明】
【図１】本発明の実施形態を示すものであって、配線器具の分解斜視図である。
【図２】組み立てた状態の配線器具の斜視図である。
【図３】図２のIII−III線に沿う配線器具の垂直横断面図である。
【図４】図２のIV−IV線に沿う配線器具の一部垂直縦断面図である。
【図５】図４のV−V線に沿う配線器具の一部水平断面図である。
【図６】上部蓋体の一部を切り欠いて示す配線器具の部分平面図である。
【符号の説明】
(1)：配線器具
(2)：ケーシング
(21)：ケーシング本体
(211)：側壁
(211a)：係止部
(213)：底壁
(214)：取付孔
(22)：上部蓋体
(22A)：第１上部蓋体
(22B)：第２上部蓋体
(221)：貫通孔
(222)：垂下壁
(222a)：側方凸部
(223)：取付孔
(23)：第１端部閉鎖体
(231)：外部電線挿通孔
(24)：第２端部閉鎖体
(3)：プラグ接続ユニット
(30)：プラグ接続部
(31A)：刃受金具
(311A)：ベース部
(312A)：刃受部
(31B)：刃受金具
(311B)：ベース部
(312B)：刃受部
(32)：刃受ホルダ
(33)：刃受カバー
(331)：プラグ差込口
(4)：端子台
(41A)(41B)：電線接続端子
(5)：筒状体
(51)：係合凸部
【図１】
2004199983.tif 000003
【図２】
2004199983.tif 000004
【図３】
2004199983.tif 000005
【図４】
2004199983.tif 000006
【図５】
2004199983.tif 000007
【図６】
2004199983.tif 000008